(57)【要約】【課題】先端部にブラシが設けられた延長管を吸込口体に接続しても、既存の吸込口体と同様に塵埃を吸い込むことが可能な電気掃除機を提供すること。【解決手段】吸込口本体１５に接続パイプ１６が起倒自在に取り付けられた吸込口体８が設けられ、掃除機本体１に接続された延長管７の先端部と前記接続パイプ１６とが着脱可能に嵌着されていると共に、ブラシ毛１３ｂが周方向に配列されたブラシ１３が前記延長管７の先端部に取り付けられている。また、前記接続パイプ１６の外周面と該外周面に一体に設けられたカバー部１９との間に前記接続パイプ１６の自由端側に開口するブラシ配設空間２０が形成されていると共に、前記接続パイプ１６と延長管７が接続されたときに前記ブラシ１３が前記ブラシ配設空間２０内に挿入される。【選択図】  図７
2005334422.tif 000002
【特許請求の範囲】
【請求項１】
吸込口本体に接続パイプが起倒自在に取り付けられた吸込口体が設けられ、掃除機本体に接続された延長管の先端部と前記接続パイプとが着脱可能に嵌着されていると共に、ブラシ毛が周方向に配列されたブラシが前記延長管の先端部に取り付けられた電気掃除機であって、
前記接続パイプの外周面と該外周面に一体に設けられたカバー部との間に前記接続パイプの自由端側に開口するブラシ配設空間が形成されていると共に、前記接続パイプと延長管が接続されたときに前記ブラシが前記ブラシ配設空間内に挿入されることを特徴とする電気掃除機。
【請求項２】
請求項１に記載の電気掃除機において、前記ブラシが前記ブラシ配設空間内に挿入されたとき、前記カバー部内面に気密に当接するバンパが前記ブラシの周囲に設けられていることを特徴とする電気掃除機。
【請求項３】
請求項１又は２に記載の電気掃除機において、前記接続パイプに内部の吸込風路と前記ブラシ配設空間を連通させる連通孔が形成されていることを特徴とする電気掃除機。
【発明の詳細な説明】
【技術分野】
【０００１】
この発明は、先端部に小型のブラシが設けられた延長管を吸込口体に着脱可能に接続するようにした電気掃除機に関するものである。
【背景技術】
【０００２】
従来の電気掃除機には、集塵室及び該集塵室に吸込負圧を作用させる掃除機本体と、この集塵室に接続された可撓性の集塵ホースと、この集塵ホースの自由端部に設けられた手元操作パイプと、この手元操作パイプに接続された延長管と、この延長管に接続された吸込口体を備えているものが知られている。
【０００３】
この吸込口体は、通常、左右方向に細長く延びているため、左右方向に狭い場所での使用はできないものであった。
【０００４】
これを解消するために、延長管の先端に丸ブラシをボールジョイントを介して回動自在に取り付け、丸ブラシを着脱可能に接続する取付穴を吸込口体に設けて、丸ブラシを取付穴に着脱可能に取りけた丸ブラシ付電気掃除機が考えられている（例えば、特許文献１参照）。
【０００５】
しかし、この丸ブラシ付電気掃除機では、丸ブラシを接続するための取付穴を吸込口体の左右方向の中央部上面に設けた上方に突出する筒部内に設けていたため、丸ブラシを取付穴に嵌着して吸込口体を使用するときに、吸込口体の下面から丸ブラシと延長管との接続部までの高さが高くなり、従来の吸込口体が入るような上下方向のスペースが狭い場所での使用ができないものであった。
【０００６】
これを解消するために、延長管の先端部に前後方向に細長い小型ノズルを回動自在に取り付け、吸込口体の左右方向の中央部に前後方向に延びる取付凹部を設けると共に、この取付凹部に小型ノズルを着脱可能に取り付けたノズル付電気掃除機も知られている（例えば、特許文献２参照）。
【特許文献１】特開２００１−３１４３５８号公報
【特許文献２】特開２００３−３３９５８５号公報
【発明の開示】
【発明が解決しようとする課題】
【０００７】
しかしながら、このノズル付電気掃除機では、小型ノズルの下面に左右方向に間隔を置いてブラシ毛を取り付け、このブラシ毛間に複数の小穴を吸込口として設けていたため、吸込口体の下面に設けた吸込開口が紙くず等を吸い込むことができる程度に広くても、小型ノズルの吸込口から吸い込むことができる塵埃の大きさは非常に小さなものに限られ、紙くず等のある程度大きな塵埃を吸い込むことは不可能であった。
【０００８】
そこで、この発明は、先端部にブラシが設けられた延長管を吸込口体に接続しても、既存の吸込口体と同様に塵埃を吸い込むことが可能な電気掃除機を提供することを目的とするものである。
【課題を解決するための手段】
【０００９】
この目的を達成するため、請求項１の発明は、吸込口本体に接続パイプが起倒自在に取り付けられた吸込口体が設けられ、掃除機本体に接続された延長管の先端部と前記接続パイプとが着脱可能に嵌着されていると共に、ブラシ毛が周方向に配列されたブラシが前記延長管の先端部に取り付けられた電気掃除機であって、前記接続パイプの外周面と該外周面に一体に設けられたカバー部との間に前記接続パイプの自由端側に開口するブラシ配設空間が形成されていると共に、前記接続パイプと延長管が接続されたときに前記ブラシが前記ブラシ配設空間内に挿入されることを特徴とする。
【発明の効果】
【００１０】
この構成によれば、先端部にブラシが設けられた延長管を吸込口体に接続しても、既存の吸込口体と同様に塵埃を吸い込むことができる。
【発明を実施するための最良の形態】
【００１１】
以下、この発明の実施の形態を図面に基づいて説明する。
[構成]
図１において、１は電気掃除機の掃除機本体、２は掃除機本体１内に設けられた集塵室、３は集塵室２内に配設された紙パックフィルタ等の集塵フィルタ（集塵袋）、４は集塵室２に吸込負圧を作用させる電動送風機である。
【００１２】
尚、本実施例では、紙パックフィルタ等の集塵フィルタ３に塵埃を捕集させる構成としているが、掃除機本体１にダストカップ等の集塵容器を着脱可能に取り付けて、集塵容器に塵埃を捕集させるようにしても良い。
【００１３】
掃除機本体１には集塵フィルタ３を介して集塵室２に連通させた蛇腹状で可撓性の集塵ホース５が接続され、集塵ホース５の自由端部には集塵ホース５に連通する手元操作パイプ６が一体に設けられている。
【００１４】
この手元操作パイプ６には、操作パネル６ａと、握り部６ｂが設けられている。この操作パネル６ａには「弱／中」吸込風量切り替え用のスイッチＳ１と、「強」吸込風量用のスイッチＳ２と、「切り」用のスイッチＳ３が設けられている。
【００１５】
また、電気掃除機は、手元操作パイプ６に接続させる延長管（延長パイプ）７と、延長管７の先端部に接続させる吸込口体８を有する。
（延長管７）
この延長管７は、手元操作パイプ６に着脱可能に接続されたパイプ９と、パイプ９に伸縮自在に嵌合保持されたパイプ１０と、このパイプ１０の先端部側に配設されたブラシ付ノズル（アタッチメント、小型吸込口体）１１を有する。
【００１６】
このブラシ付ノズル１１は、図６，図７，図８（ａ），図９に示したパイプ１２と、ブラシ１３を有する。パイプ１２は、図７，図８（ａ）に示したように、一端部側の円筒状のパイプ部１２ａと、パイプ部１２ａに連設された略Ｕ字状の厚肉部１２ｂ１を有するパイプ部１２ｂと、パイプ部１２ｂに連設された方形筒状のパイプ部１２ｃを有する。このパイプ部１２ｂの厚肉部１２ｂ１とパイプ部１２ｃとの間には段差面１２ｄが形成されている。
【００１７】
ブラシ１３は、図８（ｂ）に示したようにＵ字状のブラシ枠１３ａと、ブラシ枠１３ａの端面に植毛されたブラシ毛１３ｂを有する。このブラシ枠１３ａは、パイプ部１２ｃに支持軸（支持突起）１４を介して回動可能に取り付けられている。
【００１８】
そして、ブラシ付ノズル１１は、パイプ部１２ａをパイプ１０に着脱可能に嵌着することにより、図１〜３，図５に示したようにパイプ１０に取り付けられている。尚、支持軸１４は、ブラシ枠１３ａに一体に形成しても、パイプ部１２ｃに一体に形成しても良い。また、ブラシ枠１３ａは、パイプ部１２ｂの厚肉部１２ｂ１より外形が小さく形成されていて、段差面１２ｄからはみでないようになっている。
【００１９】
また、パイプ部１２ｂは、図８（ａ）に示したように厚肉部１２ｂ１を設けていない部分の外周面がカバー１２ｅで覆われている。このカバー１２ｅは、パイプ部１２ｃの先端側まで延設されている。そして、パイプ部１２ｃの先端には、カバー１２ｅの端壁１２ｅ１に対応して被係止フランジ１２ｆが被係止突部（被係止爪部）として形成されている。
【００２０】
このカバー１２ｅの端壁１２ｅ１と被係止フランジ１２ｆは図８（ｂ）に示したように互いに当接係合していて、端壁１２ｅ１には図８（ａ），（ｂ）に示したように被係止フランジ１２ｆとの間で爪挿入開口１２ｇを形成する切欠１２ｈが形成されている。
（吸込口体８）
この吸込口体８は、図１〜図４に示したように吸込口本体１５及び接続パイプ１６を有する。この吸込口本体１５の後縁部の左右方向中央には軸線を前後に向けた回転管１５ａが軸線回りに回転可能に取り付けられ、この回転管１５ａには図８に示したように接続パイプ１６の一端部１６ａが上下回動可能に取り付けられている。これにより、接続パイプ１６は吸込口本体１５に対して任意の方向に傾動操作可能に設けられている。
【００２１】
この吸込口本体１５内には図７，図８（ａ）に示したように吸込室１５ｃが形成され、吸込口本体１５の下面には吸込室１５ｃの吸込開口１５ｄが設けられている。
【００２２】
この吸込開口１５ｄは左右方向に延びており、吸込室１５ｃ内には吸込開口１５ｄに沿って延びる回転清掃体１７が配設されている。この回転清掃体１７は、吸込口本体１５に回転自在に保持された回転軸１７ａと、回転軸１７ａに取り付けられた可撓性のあるブレード１７ｂを有する。この回転軸１７ａは、図示しない駆動モータで回転駆動されるようになっている。
【００２３】
接続パイプ１６は、図３に示したように側壁１６ｂ〜１６ｅから端面形状が方形状に形成されている。この接続パイプ１６の中間部には、図９に示したように側壁１６ｂから略垂直に突出するフランジ１６ａ１が形成されていると共に、このフランジ１６ａ１の一面に跨る段差面１８が形成されている。
【００２４】
また、接続パイプ１６の中間部には、図９に示したように側壁１６ｂに連設され且つ側壁１６ｃ，１６ｅから側方に突出するフランジ１６ｂ２，１６ｂ２が形成されている。更に、接続パイプ１６の中間部は、基端（一端）が接続パイプ１６の一端部１６ａ側に一体に形成されたカバー部１９によりカバーされている。
【００２５】
このカバー部１９は、フランジ１６ｂ２，１６ｂ２に一体に設けられ且つ側壁１６ｃ，１６ｅを間隔をおいて覆う側壁部１９ａ，１９ａと、側壁部１９ａ，１９ａに連設され且つ側壁１６ｄと間隔をおいて側壁１６ｄを覆う連設壁１９ｂから端面形状がＵ字状に形成されている。
【００２６】
これにより、このカバー部１９と接続パイプ１６の中間部との間には、接続パイプ１６の自由端側に開口し且つ開口形状をＵ字状に形成したブラシ配設空間２０が設けられている。また、側壁１６ｄには、図７，図８に示したように接続パイプ１６の一端部１６ａ側、即ちブラシ配設空間２０の閉成端側に位置させて、接続パイプ１６内の吸込風路１６ｆとブラシ配設空間２０に連通する連通孔（連通風路）１６ｇが形成されている。
【００２７】
更に、接続パイプ１６の側壁１６ｂ及びフランジ１６ｂ２，１６ｂ２はカバー２１により覆われている。このカバー２１には、接続パイプ１６の一端部１６ａ側に位置して周面に開口する挿通孔２２が形成されていると共に、フランジ１６ａ１に当接係合し且つ端面が段差面１８と面一な端壁２２が設けられている。この端壁２２には、切欠開口２３が形成されている。
【００２８】
また、カバー２１の内面の長手方向中間部には図７，図８に示したように係合突起２４が突設され、側壁１６ａには挿通孔２２と係合突起２４との間に位置させてボス２５が形成されている。このボス２５は、図７に示したようにカバー２１を側壁１６ｂにビス２６で固定するのに用いられる。
【００２９】
また、カバー２１と側壁１６ｂとの間には図７，図８に示したようにレバー２７が配設されている。このレバー２７には挿通孔２７ａが形成され、この挿通孔２７ａにボス２５が遊挿されている。さらに、レバー２７の一端部にはカバー２１の挿通孔２２から突出するように膨出する押ボタン部２８が形成され、レバー２７の切欠開口２３から突出する他端部には係止爪部２９が形成されている。
【００３０】
この押しボタン部２８と側壁１６ｂとの間には図７，図８に示したように第１のコイルスプリング３０が第１の弾性部材として配設され、レバー２７のフランジ１６ａ１側近傍の部分と側壁１６ｂとの間には第２のコイルスプリング３１が第２の弾性部材として介装されている。この第２のコイルスプリング３１のバネ力は第１のコイルスプリング３０のバネ力よりも小さく設定されている。そして、通常レバー２７は、コイルスプリング３０，３１のバネ力で係合突起２４及びフランジ１６ａ１に当接させられている。
【００３１】
そして、図７，図８（ａ）に示したように吸込口体８の接続パイプ１６がブラシ付ノズル１１のパイプ１２内にパイプ部１２ｃ側から嵌合挿入され、ブラシ１３がブラシ配設空間２０内に挿入されている。
【００３２】
しかも、接続パイプ１６に設けたレバー２７の係止爪部２９がブラシ付ノズル１１の爪挿入開口１２ｇに挿入されていると共に被係止フランジ１２ｆに係止している。この際、コイルスプリング３０は、係止爪部２９の被係止フランジ１２ｆへの係合が外れない方向にレバー２７を回動付勢している。
【００３３】
この状態では、ブラシ付ノズル１１のカバー１２ｅの端壁１２ｅ１が接続パイプ１６のカバー２１の端壁２２に当接する共に、ブラシ付ノズル１１の段差面１２ｄと接続パイプ１６に設けたカバー部１９の側壁１９ａ，１９ａが気密に当接する一方、ブラシ付ノズル１１の段差面１２ｄと連設壁１９ｂの先端との間に微小な間隙３２が形成されている。
[作用]
次に、この様な構成の電気掃除機の作用を説明する。
（１）ブラシ付ノズル１１の使用
ところで、左右方向に狭い場所等を清掃する場合には、延長管７のブラシ付ノズル１１を吸込口体８の接続パイプ１６から取り外して使用する。
【００３４】
この場合、延長管７及び接続パイプ１６を図２の状態から起立させて、接続パイプ１６の押しボタン部２８の段差部２８ａを回転管１５ａの上縁部１５ｂに押し付けるか、押しボタン部２８を直接押圧することにより、レバー２７の一端部をコイルスプリング３０のバネ力に抗して押圧変移させる。これに伴い、レバー２７の他端部が係合突起２４を中心に回動して、レバー２７の係止爪部２９がブラシ付ノズル１１の被係止フランジ１２ｆから離反し、ブラシ付ノズル１１と接続パイプ１６との係止状態が解除される。この状態で、延長管７を吸込口体８から離反する方向に引っ張ると、ブラシ付ノズル１１が図３，図９の如く接続パイプ１６から取り外される。
【００３５】
この状態で、手元操作パイプ６に設けた「弱／中」吸込風量切り替え用のスイッチＳ１又は「強」吸込風量用のスイッチＳ２をオン操作して、電動送風機４を作動させ、電動送風機４の吸込負圧を集塵室２に作用させる。この集塵室２に作用する吸込負圧は、吸込口体８が延長管７から取り外されていると、図１の集塵フィルタ３，集塵ホース５，手元操作パイプ６及び延長管７のパイプ９，１０を介してブラシ付ノズル１１に作用する。
【００３６】
この吸込負圧により、清掃面の塵埃がエア（空気）と共にブラシ付ノズル１１内に吸い込まれる。この吸い込まれた塵埃を含むエアは、ブラシ付ノズル１１，延長管７のパイプ１０，９，手元操作パイプ６及び集塵ホース５を介して集塵フィルタ３内に吸い込まれて、集塵フィルタ３を透過する。
【００３７】
この際、エアと共に吸い込まれる塵埃が集塵フィルタ３に捕捉され、集塵フィルタ３を透過するエアが清浄される。この清浄されたエアは、集塵フィルタ３を透過して電動送風機４に吸い込まれて内部を冷却した後、最終的に外部に排気される。
【００３８】
従って、清掃面が左右方向に狭い場所でも、電動送風機４を作動させて、ブラシ付ノズル１１のブラシ１３を清掃面に沿って移動させることにより、清掃面の塵埃を吸い込んで捕集できる。
（２）通常の使用
また、通常は、図１，図２のようにブラシ付ノズル１１を延長管７のパイプ１０に接続すると共に、このブラシ付ノズル１１を図１，図２，図７，図８（ａ）のように吸込口体８の接続パイプ１６に接続した状態で使用する。
【００３９】
この場合、吸込口体８の接続パイプ１６がブラシ付ノズル１１のパイプ１２内にパイプ部１２ｃ側から嵌合挿入され、ブラシ１３がブラシ配設空間２０内に挿入されている。しかも、ブラシ付ノズル１１のカバー１２ｅの端壁１２ｅ１が接続パイプ１６のカバー２１の端壁２２に当接する共に、ブラシ付ノズル１１の段差面１２ｄと接続パイプ１６に設けたカバー部１９の側壁１９ａ，１９ａが気密に当接する一方、ブラシ付ノズル１１の段差面１２ｄとカバー部１９の連設壁１９ｂの先端との間に微小な間隙３２が形成されている。
【００４０】
この状態で、手元操作パイプ６に設けた「弱／中」吸込風量切り替え用のスイッチＳ１又は「強」吸込風量用のスイッチＳ２をオン操作して、電動送風機４を作動させ、電動送風機４の吸込負圧を集塵室２に作用させる。
【００４１】
この集塵室２に作用する吸込負圧は、図１の状態で集塵フィルタ３，集塵ホース５，手元操作パイプ６，延長管７，ブラシ付ノズル１１及び接続パイプ１６を介して吸込口本体１５の吸込室１５ｃに作用する。
【００４２】
この吸込負圧により、清掃面の塵埃がエア（空気）と共に吸込口本体１５の吸込開口１５ｄから吸込室１５ｃ内に吸い込まれた後に接続パイプ１６内に吸い込まれる。
【００４３】
一方、接続パイプ１６に作用する吸込負圧は連通孔１６ｇを介してブラシ配設空間２０内に作用する。この結果、エアが、ブラシ付ノズル１１とカバー部１９との間に形成された微小な間隙３２からブラシ配設空間２０内に吸い込まれる。このエアは、ブラシ１３に付着した塵埃をブラシ１３から剥離して連通孔１６ｇから接続パイプ１６内に吸い込まれる。
【００４４】
この接続パイプ１６内に吸い込まれた塵埃を含むエアは、延長管７のブラシ付ノズル１１，延長管７のパイプ１０，９，手元操作パイプ６及び集塵ホース５を介して集塵フィルタ３内に吸い込まれて、集塵フィルタ３を透過する。
【００４５】
この際、エアと共に吸い込まれる塵埃が集塵フィルタ３に捕捉され、集塵フィルタ３を透過するエアが清浄される。この清浄されたエアは、集塵フィルタ３を透過して電動送風機４に吸い込まれて内部を冷却した後、最終的に外部に排気される。
【００４６】
従って、吸込口体８の吸込口本体１５を清掃面に沿って移動させることにより、通常の状態での清掃を行うことができると共に、ブラシ１３の使用によりブラシ１３に付着した塵埃も清掃できることになる。
【００４７】
尚、図７，図８では、隙間３２を連設壁１９ｂの先端と段差面１２ｄとの間にのみ形成した例を示したが、必ずしもこれに限定されるものではない。例えば、このような隙間は、ブラシ１３の形状に沿うようにカバー１９の側壁１９ａ，１９ａの先端及び連設壁１９ｂの先端と段差面１２ｄとの間にコ字状に形成してもよい。この場合には、ブラシ１３全体に付着した塵埃をコ字状の隙間からブラシ配設空間２０内に吸い込まれるエアにより剥離させて除去することができる。
（変形例）
また、上述した実施例では吸込口体８の接続パイプ１６にカバー部１９を設けて、この接続パイプ１６とカバー部１９との間にコ字状のブラシ収納空間２０を形成すると共に、ブラシ付ノズル１１のブラシ１３をコ字状に形成した例を示したが、必ずしもこれに限定されるものではない。
【００４８】
例えば、接続パイプ１６に上述したカバー部１９に変えて図１０〜図１２に示したカバー部１００を設けて、このカバー部１００内に図１２に示したような環状のブラシ配設空間１０１を形成すると共に、コ字状のブラシ１３に変えて環状のブラシ１０２をブラシ付ノズル１１に取り付けた構成とすることもできる。
【００４９】
このブラシ１０２は、環状のブラシ枠１０３と、ブラシ枠１０３の端面に植毛されたブラシ毛１０４と、ブラシ枠１０３の周面に沿って取り付けられた弾性部材製の環状のバンパ１０５を有する。このブラシ１０２は上述した実施例と同様にしてパイプ部１２に回動自在に取り付けられている。
【００５０】
そして、ブラシ付ノズル１１を接続パイプ１６に接続する際に、ブラシ１０２をブラシ配設空間１０１内に挿入すると、ブラシ１０２のバンパ１０５がカバー部１００の内周面に当接して、ブラシ１０２とカバー部１００との間をシールするようになっている。
【００５１】
この結果、ブラシ毛１０４に付着した塵埃やカバー部１００内に落ちた塵埃が外部にこぼれ落ちるようなことを未然に防止できる。尚、ブラシ１０２がブラシ配設空間１０１内に配設されたときに、ブラシ配設空間１０１がブラシ枠１０３の一部を介して大気に連通しているが、この部分から塵埃がこぼれ落ちることはない。
【００５２】
また、ブラシ配設空間１０１と接続パイプ１６内に連通する連通孔（図示略）をブラシ配設空間１０１の底部１０１ａ側に位置させて接続パイプ１６に形成しても良い。この場合には、ブラシ配設空間１０１の底部１０１ａ側に落ちた塵埃を連通孔から接続パイプ１６内に吸い込ませることができる。
【００５３】
尚、本実施例において、上述した図１〜図９に示した実施例と同一又は類似する部分には、図１〜図９に示した符号と同一の符号を付して説明し、又は説明を省略している。
【００５４】
以上説明したように、この発明の実施の形態の電気掃除機には、吸込口本体１５に接続パイプ１６が起倒自在に取り付けられた吸込口体８が設けられ、掃除機本体１に接続された延長管７の先端部と前記接続パイプ１６とが着脱可能に嵌着されていると共に、ブラシ毛（１３ｂ，１０４）が周方向に配列されたブラシ（１３，１０２）が前記延長管７の先端部に取り付けられている。また、前記接続パイプ１６の外周面と該外周面に一体に設けられたカバー部（１９、１００）との間に前記接続パイプ１６の自由端側に開口するブラシ配設空間（２０、１０１）が形成されていると共に、前記接続パイプ１６と延長管７が接続されたときに前記ブラシ（１３，１０２）が前記ブラシ配設空間（２０，１０１）内に挿入される。
【００５５】
この構成によれば、先端部にブラシ（１３，１０２）が設けられた延長管７を吸込口体８に接続しても、既存の吸込口体８と同様に塵埃を吸い込むことができる。また、ブラシ（１３，１０２）はカバー部（１９、１００）で覆われているので、ブラシ（１３，１０２）に付着した塵埃が外にこぼれ落ちることがない。
【００５６】
また、この発明の実施の形態の電気掃除機において、前記ブラシ１０２が前記ブラシ配設空間１０１内に挿入されたとき、前記カバー部１００の内面に気密に当接するバンパ１０５が前記ブラシ１０２の周囲に設けられている。
【００５７】
この構成によれば、前記ブラシ配設空間１００の開口端を確実にシールできるので、ブラシ１０２に付着した塵埃が外にこぼれ落ちるのを確実に防止できる。
【００５８】
また、この発明の実施の形態の電気掃除機において、前記接続パイプ１６に内部の吸込風路と前記ブラシ配設空間２０を連通させる連通孔１６ｇが形成されている。
【００５９】
この構成によれば、接続パイプ１６と延長管７を接続して、ブラシ１３をブラシ配設空間２０内に配設した状態で、掃除機本体１内の電動送風機４を作動させることにより、電動送風機４の吸込負圧を接続パイプ１６を介して吸込本体１５に作用させて、清掃面の塵埃を吸込口体で吸い込むことができる。
【００６０】
この際、接続パイプ１６に作用する吸込負圧が図７，図８の連通孔１６ｇを介してブラシ配設空間２０に作用することになる。これにより、ブラシ配設空間２０の開口端側においてカバー部１９と延長管７との間にできる隙間等からエアがブラシ配設空間２０内に吸い込まれ、この吸い込まれたエアがブラシ１３に付着した塵埃を剥離して連通孔１６ｇから接続パイプ１６内の吸込風路内に吸い込まれることになる。
【００６１】
従って、ブラシの不使用時であって吸込口体を使用して清掃する際、ブラシ１３に付着した塵埃を除去できる。
【図面の簡単な説明】
【００６２】
【図１】この発明に係る電気掃除機の概略斜視図である。
【図２】図１の部分拡大図である。
【図３】図２の延長管と吸込口体とを分離した状態の分解斜視図である。
【図４】図３の接続パイプを起立させた状態の吸込口体の側面図である。
【図５】図３の延長管の使用状態を示す側面図である。
【図６】図４の接続パイプを倒したときの状態の吸込口体の側面図である。
【図７】図６の吸込口体を接続パイプの軸線に沿って断面した吸込口体の断面図である。
【図８】（ａ）は図７の吸込口体の斜視図、（ｂ）は（ａ）のブラシ付ノズルの正面図である。
【図９】図３の接続パイプとブラシ付ノズルを他の角度から見た分解斜視図である。
【図１０】この発明に係る電気掃除機のブラシ付ノズルの変形例を示したもので、部分的に破断して示した斜視図である。
【図１１】延長管のブラシ付ノズルを吸込口体の接続パイプに接続した状態の要部断面図である。
【図１２】図１１の延長管のブラシ付ノズルを吸込口体の接続パイプから分離した状態の要部断面図である。
【符号の説明】
【００６３】
１…掃除機本体
７…延長管
８…吸込口体
１３…ブラシ
１３ｂ…ブラシ毛
１５…吸込口本体
１６…接続パイプ
１６ｇ…連通孔
１９…カバー部
２０…ブラシ配設空間
１００…カバー部
１０１…ブラシ配設空間
１０２…ブラシ
１０５…バンパ
【図１】
2005334422.tif 000003
【図２】
2005334422.tif 000004
【図３】
2005334422.tif 000005
【図４】
2005334422.tif 000006
【図５】
2005334422.tif 000007
【図６】
2005334422.tif 000008
【図７】
2005334422.tif 000009
【図８】
2005334422.tif 000010
【図９】
2005334422.tif 000011
【図１０】
2005334422.tif 000012
【図１１】
2005334422.tif 000013
【図１２】
2005334422.tif 000014